(57)【要約】【課題】複数の通信事業者のいずれかに割り当てられるセルの利用効率を向上させる。【解決手段】基地局１０において、計数部１３は、自装置がカバーするエリア内に存在する複数の端末の数を、複数の端末に対応する複数の通信事業者のそれぞれについてカウントする。また、割り当て部１４が、複数の通信事業者のそれぞれについてカウントされた数に基づいて、第１のグループの複数のセルのそれぞれを、複数の通信事業者のいずれかに対して割り当てる。第１のグループの複数のセルは、基地局１０が有し且つ各セルが通信中の１つの端末が占有できる周波数バンドである。【選択図】図１
2014086918.tif 000002
【特許請求の範囲】
【請求項１】
自装置がカバーするエリア内に存在する複数の端末の数を、前記複数の端末に対応する複数の通信事業者のそれぞれについてカウントする計数部と、
前記複数の通信事業者のそれぞれについてカウントされた数に基づいて、自装置が有し且つ各セルが通信中の１つの端末が占有できる周波数バンドである複数のセルのそれぞれを、前記複数の通信事業者のいずれかに対して割り当てる割り当て部と、
を具備することを特徴とする基地局。
【請求項２】
前記割り当て部は、自装置が設置される場所、又は、時間若しくは時期に応じて、各通信事業者に割り当てられたセルの数を調整する、
ことを特徴とする請求項１に記載の基地局。
【請求項３】
前記計数部は、前記複数の端末から送信される位置登録要求、又は、自装置から送信されたページング信号に対する前記複数の端末からの応答に基づいて、前記数をカウントする、
ことを特徴とする請求項１又は２に記載の基地局。
【請求項４】
基地局から割り当て信号を受信する無線部と、
前記受信された割り当て信号の示すセルで通信する通信制御部と、
を具備し、
前記割り当て信号の示すセルは、前記基地局によって、前記基地局がカバーするエリア内に存在する複数の端末に対応する複数の通信事業者のそれぞれについての、前記複数の端末の数に基づいて、自装置に対応する通信事業者に対して割り当てられた、セルである、
端末。
【請求項５】
基地局がカバーするエリア内に存在する複数の端末の数を、前記複数の端末に対応する複数の通信事業者のそれぞれについてカウントし、
前記複数の通信事業者のそれぞれについてカウントされた数に基づいて、前記基地局が有し且つ各セルが通信中の１つの端末が占有できる周波数バンドである複数のセルのそれぞれを、前記複数の通信事業者のいずれかに対して割り当てる、
ことを特徴とするセルの割り当て方法。
【発明の詳細な説明】
【技術分野】
【０００１】
本発明は、基地局、端末、及びセルの割り当て方法に関する。
【背景技術】
【０００２】
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｒａｄｉｏ  Ａｃｃｅｓｓ  Ｎｅｔｗｏｒｋ  Ｌｏｎｇ  Ｔｅｒｍ  Ｅｖｏｌｕｔｉｏｎ）のシステムには、フェムト（Ｆｅｍｔｏ）基地局（以下では、「フェムト局」と呼ばれることがある）が存在することがある。フェムト局は、マクロ基地局に比べて小型であり、例えば、家庭又はオフィス等に設置される。
【０００３】
また、現在、フェムト基地局は通信事業者毎に異なる。このため、通信事業者の異なる通信端末をそれぞれ有する複数のユーザが出入りするエリア（例えば、オフィス又はレストラン等）では、各通信事業者の通信端末に対応するために、各通信事業者に対応するフェムト局が設置される。従って、フェムト局の設置者にかかる負担が大きくなる。
【先行技術文献】
【特許文献】
【０００４】
【特許文献１】特表２０１２−５０２５２１号公報
【発明の概要】
【発明が解決しようとする課題】
【０００５】
そこで、通信事業者の異なる複数の通信端末で共用できるフェムト局を導入することができる。この場合、フェムト局が有する複数の「セル」のそれぞれに、複数の通信事業者の内の１つが割り当てられる。ここで「セル」とは、通信中の１つの端末が占有できる周波数バンドの１単位である。
【０００６】
しかしながら、複数の通信事業者に単純にセルを振り分けるだけでは、例えば、対応する通信端末の数が少ない通信事業者に対して過剰にセルが割り当てられる可能性があり、この場合には、セルの利用効率が低下してしまう。
【０００７】
開示の技術は、上記に鑑みてなされたものであって、第１に、複数の通信事業者に対応可能な基地局を提供することを目的とする。第２に、複数の通信事業者のいずれかに割り当てられるセルの利用効率を向上させることができる、基地局、端末、及びセルの割り当て方法を提供することを目的とする。
【課題を解決するための手段】
【０００８】
開示の態様では、自装置がカバーするエリア内に存在する複数の端末の数を、前記複数の端末に対応する複数の通信事業者のそれぞれについてカウントする計数部と、前記複数の通信事業者のそれぞれについてカウントされた数の比に基づいて、自装置が有し且つ各セルが通信中の１つの端末が占有できる周波数バンドである複数のセルのそれぞれを、前記複数の通信事業者のいずれかに対して割り当てる割り当て部と、を具備する。
【発明の効果】
【０００９】
開示の態様によれば、複数の通信事業者のいずれかに割り当てられるセルの利用効率を向上させることができる。
【図面の簡単な説明】
【００１０】
【図１】図１は、実施例１の基地局の一例を示すブロック図である。
【図２】図２は、実施例１の事業者割り当てテーブルの一例を示す図である。
【図３】図３は、実施例１の対応テーブルの一例を示す図である。
【図４】図４は、実施例１の端末の一例を示すブロック図である。
【図５】図５は、実施例１の事業者割り当てテーブルの一例を示す図である。
【図６】図６は、実施例１の事業者割り当てテーブルの一例を示す図である。
【図７】図７は、実施例１の事業者割り当てテーブルの周期的な更新の説明に供する図である。
【図８】図８は、実施例１の事業者割り当てテーブルの一例を示す図である。
【図９】図９は、実施例２の基地局の一例を示すブロック図である。
【図１０】図１０は、実施例２の調整テーブルの一例を示す図である。
【図１１】図１１は、実施例２の調整テーブルの一例を示す図である。
【図１２】図１２は、実施例３の基地局の一例を示すブロック図である。
【図１３】図１３は、実施例４のＲＲＣ  Ｃｏｎｎｅｃｔｉｏｎの確立手順の説明に供する図である。
【図１４】図１４は、基地局のハードウェア構成を示す図である。
【図１５】図１５は、端末のハードウェア構成を示す図である。
【発明を実施するための形態】
【００１１】
以下に、本願の開示する基地局、端末、及びセルの割り当て方法の実施形態を図面に基づいて詳細に説明する。なお、この実施形態により本願の開示する基地局、端末、及びセルの割り当て方法が限定されるものではない。また、実施形態において同一の機能を有する構成には同一の符号を付し、重複する説明は省略される。
【００１２】
［実施例１］
［基地局の構成］
図１は、実施例１の基地局の一例を示すブロック図である。図１において、基地局１０は、無線部１１と、通信処理部１２と、計数部１３と、割り当て部１４と、記憶部１５と、ネットワークインタフェース（ＩＦ）１６とを有する。
【００１３】
無線部１１は、基地局１０がカバーするエリア内に存在する端末から送信された信号をアンテナを介して受信し、受信信号に対して所定の受信無線処理を行う。所定の無線受信処理とは、ダウンコンバート、アナログデジタル変換等である。受信無線処理後の受信信号は、通信処理部１２へ出力される。
【００１４】
また、無線部１１は、通信処理部１２から送信信号を受け取り、その送信信号に対して所定の送信無線処理を行う。所定の送信無線処理とは、デジタルアナログ変換、アップコンバート等である。
【００１５】
通信処理部１２は、基地局１０の起動時に、基地局１０に対応する事業者の識別情報を含む報知信号を無線部１１へ出力する。これにより、報知信号が、無線部１１及びアンテナを介して基地局１０がカバーするエリア内に存在する端末へ送信される。
【００１６】
通信処理部１２は、所定の周期で疑似ページング信号を無線部１１へ出力する。これにより、疑似ページング信号が、無線部１１及びアンテナを介して基地局１０がカバーするエリア内に存在する端末へ送信される。
【００１７】
また、通信処理部１２は、無線部１１から受け取る受信信号から制御信号を抽出し、抽出された制御信号を計数部１３へ出力する。ここで、抽出された制御信号は、具体的には、事業者識別情報を含む報知信号に応答して端末から送信される位置登録要求信号（ＴＡＵ：Ｔｒａｃｋｉｎｇ  Ａｒｅａ  Ｕｐｄａｔｅ）、及び、基地局１０から送信された疑似ページング信号に対する端末からの応答信号である。
【００１８】
また、通信処理部１２は、記憶部１５に記憶されている「事業者割り当てテーブル」と、割り当て対象である端末の識別情報及び当該端末に対応する通信事業者の識別情報とに基づいて、割り当て対象である端末に対して使用セルを割り当てる。使用セルに関する情報、つまり割り当て信号は、割り当て対象である端末へ送信される。「事業者割り当てテーブル」は、基地局１０が有する複数のセルのそれぞれの識別情報と、通信事業者の識別情報とが対応付けて記憶する。「事業者割り当てテーブル」の詳細については後述する。
【００１９】
また、通信処理部１２は、受信信号の転送処理を実行する。具体的には、通信処理部１２は、任意の使用セルにおいて信号を受信した場合、当該任意の使用セルと事業者割り当てテーブルにおいて対応付けられている通信事業者を特定する。そして、通信処理部１２は、受信信号を、特定された通信事業者と「対応テーブル」において対応付けられているコアネットワークへネットワークＩＦ１６を介して送出する。「対応テーブル」は、複数の通信事業者の識別情報と、各通信事業者と対応するコアネットワークに関する情報とを対応付けて記憶する。「対応テーブル」の詳細については後述する。
【００２０】
計数部１３は、基地局１０がカバーするエリア内に存在する複数の端末の数を、複数の端末に対応する複数の通信事業者のそれぞれについてカウントする。このカウントには、上記したＴＡＵ及び応答信号が用いられる。ＴＡＵは、基地局１０の起動時に端末から送信される。また、応答信号は、所定の周期で端末から送信される。すなわち、計数部１３によるカウント処理は、基地局１０の起動時に、及び、所定の周期で実行される。
【００２１】
割り当て部１４は、基地局１０が有し且つそれぞれが通信中の１つの端末が占有できる周波数バンドである第１のグループの複数のセルのそれぞれを、複数の通信事業者のいずれかに対して割り当てる。この通信事業者に対するセルの割り当ては、計数部１３において複数の通信事業者のそれぞれについてカウントされた数の比に基づいて行われる。なお、各通信事業者に割り当てられるセルの数に下限値を設けてもよい。例えば、比によれば、１つのセルも割り当てられない通信事業者であっても、その通信事業者に対して最低１つのセルを割り当てるようにしてもよい。
【００２２】
そして、割り当て部１４は、第１のグループの複数のセルの識別情報と、第１のグループの各セルに対応する通信事業者の識別情報とを対応付けた、事業者割り当てテーブルを形成し、記憶部１５に記憶させる。また、割り当て部１４は、事業者割り当てテーブルに、複数の通信事業者のいずれも利用可能な第２のグループのセルの識別情報を含めてもよい。以下では、第２のグループのセルは、「共用セル」と呼ばれることがある。
【００２３】
記憶部１５は、割り当て部１４で形成された事業者割り当てテーブルを記憶する。
【００２４】
図２は、実施例１の事業者割り当てテーブルの一例を示す図である。図２において、事業者割り当てテーブルには、項目として、セル数通番、ＭＣＣ番号、ＭＮＣ番号、ＥＣＩ番号、事業者、及びＥＣＧＩ番号が含まれている。セル数通番は、基地局１０が有する複数のセルの数を示している。すなわち、図２の事業者割り当てテーブルから基地局１０が９個のセルを有していることがわかる。また、ＭＣＣ番号は、モバイルカントリーコード（Mobile  Country  Code）、つまり国番号である。また、ＭＮＣ（Mobile  Network  Code）番号は、各国内の通信事業者の識別番号である。すなわち、ＭＣＣ番号とＭＮＣ番号との組合せが、通信事業者識別情報であり、これにより全世界の通信事業者を区別することができる。また、ＥＣＩ（E-UTRAN  Cell  ID）番号は、セルの識別情報である。また、事業者の項目は、事業者名が入力される。また、ＥＣＧＩ番号は、ＭＣＣ番号、ＭＮＣ番号及びＥＣＩ番号を単に結合した数字列である。
【００２５】
ここで、本質的には、上記の通り、事業者割り当てテーブルには、基地局１０が有する複数のセルのそれぞれの識別情報と、通信事業者の識別情報とが対応付けて記憶されればよい。従って、ＭＣＣ番号、ＭＮＣ番号及びＥＣＩ番号が含まれていればよく、他の項目、つまり、セル数通番、事業者、及びＥＣＧＩ番号は含まれなくてもよい。
【００２６】
なお、図２において、ＥＣＩ番号０９のセルは、上記した第２のグループに属するセルであり、複数の通信事業者のいずれも利用可能である。
【００２７】
ネットワークＩＦ１６は、複数の通信事業者にそれぞれ対応する複数のコアネットワークと接続されている。そして、ネットワークＩＦ１６は、通信処理部１２によって特定された通信事業者と対応テーブルにおいて対応付けられているコアネットワークへ通信処理部１２から受け取る信号を送出する。
【００２８】
図３は、実施例１の対応テーブルの一例を示す図である。図３において、対応テーブルでは、項目として、ＭＣＣ番号と、ＭＮＣ番号と、事業者と、ＭＭＥ（Mobility  Management  Entity）番号とが含まれている。ＭＭＥ番号は、コアネットワークの識別情報として用いられる。
【００２９】
ここで、本質的には、上記の通り、対応テーブルには、複数の通信事業者の識別情報と、各通信事業者と対応するコアネットワークに関する情報とが対応付けて記憶されればよい。従って、ＭＣＣ番号、ＭＮＣ番号、及びＭＭＥ番号が含まれていればよく、事業者の項目は含まれなくてもよい。
【００３０】
［端末の構成］
図４は、実施例１の端末の一例を示すブロック図である。図４において、端末２０は、無線部２１と、通信制御部２２とを有する。
【００３１】
無線部２１は、基地局１０から送信された信号をアンテナを介して受信し、受信信号に対して所定の受信無線処理を行う。受信無線処理後の受信信号は、通信制御部２２へ出力される。
【００３２】
また、無線部２１は、通信制御部２２から受け取る信号に対して所定の送信無線処理を行い、送信無線処理後の信号をアンテナを介して基地局１０へ送信する。
【００３３】
通信制御部２２は、基地局１０の起動時に基地局１０に対応する事業者の識別情報を含む報知信号を受け取ると、ＴＡＵを生成し、生成されたＴＡＵを無線部２１及びアンテナを介して基地局１０へ送信する。
【００３４】
また、通信制御部２２は、所定の周期で疑似ページング信号を基地局１０から受け取ると、疑似ページング信号に対する応答信号を基地局１０へ送信する。
【００３５】
また、通信制御部２２は、送信データ信号が発生すると、基地局１０から受け取った割り当て信号が示す使用セルを用いて送信データ信号を基地局１０へ送信する。また、通信制御部２２は、基地局１０から受け取った割り当て信号が示す使用セルを用いて、データ信号を基地局１０から受信する。すなわち、通信制御部２２は、割り当て信号の示す使用セルによって通信する。
【００３６】
ここで、割り当て信号が示す使用セルは、基地局１０によって、基地局１０がカバーするエリア内に存在する複数の端末に対応する複数の通信事業者のそれぞれについての、複数の端末の数に比に基づいて、端末２０に対応する通信事業者に対して割り当てられた、セルである。
【００３７】
［基地局及び端末の動作］
以上の構成を有する基地局１０及び端末２０の処理動作について説明する。
【００３８】
＜事業者割り当てテーブルの初期設定＞
基地局１０は、起動時に、基地局１０に対応する事業者の識別情報を含む報知信号を送信する。
【００３９】
次に、基地局１０がカバーするエリア内に存在する端末２０は、当該端末２０に対応する通信事業者に対する「基本セル」を用いてＴＡＵを基地局１０へ送信する。ここで、基地局１０の起動時には、予め各通信事業者に対して仮に割り当てられている基本セルが用いられる。例えば、基本セルとして、通信事業者Ａ，Ｂ，Ｃに対してそれぞれセル数通番１，２，３のセルを割り当てておく。従って、通信事業者Ａの端末２０は、セル数通番１の基本セルを用いてＴＡＵを送信する。
【００４０】
次に、基地局１０は、複数の基本セルのそれぞれについて、受信したＴＡＵの数をカウントする。各基本セルが各通信事業者に対応しているので、各基本セルで受信されたＴＡＵの数をカウントすることにより、基地局１０の配下に存在する端末２０の数を通信事業者毎にカウントすることができる。ここで、既存の方式では１つのセルの各フレームには複数のサブフレームが存在するので、当該複数のサブフレームを利用することにより、基地局１０は、１つのセルで複数の端末２０からのＴＡＵを受信することができる。
【００４１】
次に、基地局１０は、基地局１０が有し且つそれぞれが通信中の１つの端末が占有できる周波数バンドである第１のグループの複数のセルのそれぞれを、複数の通信事業者のいずれかに対して割り当てる。この通信事業者に対するセルの割り当ては、計数部１３において複数の通信事業者のそれぞれについてカウントされた数の比に基づいて行われる。
【００４２】
なお、各通信事業者に割り当てられるセルの数に下限値を設けてもよい。また、比に応じてセルを通信事業者に割り当てた結果余ったセルを、共用セルとしてもよい。すなわち、図５に示すように、比によれば、通信事業者Ｂ，Ｃに対して１つのセルも割り当てられない場合でも、通信事業者Ｂ，Ｃに対してそれぞれセル数通番７，８のセルを割り当てられる。また、余りのセルであるセル数通番９のセルは、共用セルとされている。図５は、実施例１の事業者割り当てテーブルの一例を示す図である。
【００４３】
又は、図５においては通信事業者Ｂ，Ｃに対してそれぞれ割り当てられているセル数通番７，８のセルを、図６に示すように共用セルにしてもよい。図６は、実施例１の事業者割り当てテーブルの一例を示す図である。
【００４４】
＜事業者割り当てテーブルの周期的な更新＞
図７は、実施例１の事業者割り当てテーブルの周期的な更新の説明に供する図である。図７には、１周期の終了時点で行われる処理が示されている。すなわち、図７に示す処理は、１周期毎に行われる。
【００４５】
基地局１０は、疑似ページングメッセージ、つまり、疑似ページング信号を所定の周期で生成する（ステップＳ１０１）。
【００４６】
基地局１０は、「エリア内端末テーブル」に記憶されている端末２０に対して、所定の周期で疑似ページング信号を送信する（ステップＳ１０２）。ここで、エリア内端末テーブルは、記憶部１５に記憶されている。そして、エリア内端末テーブルには、通信処理部１２によってＴＡＵを送信した端末２０の識別情報が記憶される。なお、基地局１０のエリア内に新たに入ってきた端末２０は、その時点でＴＡＵを基地局１０へ送信する。
【００４７】
次に、疑似ページング信号を受け取った端末２０は、疑似ページング信号に対する応答信号であるＲＲＣ接続要求（ＲＲＣ  ＣＯＮＮＥＣＴＩＯＮ  ＲＥＱＵＥＳＴ）を基地局１０へ送信する（ステップＳ１０３）。
【００４８】
次に、基地局１０は、複数の通信事業者のそれぞれについて、受信した応答信号の数をカウントする（ステップＳ１０４）。そして、基地局１０は、基地局１０が有し且つそれぞれが通信中の１つの端末が占有できる周波数バンドである第１のグループの複数のセルのそれぞれを、複数の通信事業者のいずれかに対して割り当てる。この通信事業者に対するセルの割り当ては、計数部１３において複数の通信事業者のそれぞれについてカウントされた数の比に基づいて行われる。
【００４９】
次に、基地局１０は、ＲＲＣ接続要求を送信してきた端末２０に対してＲＲＣ拒否（Ｒｅｊｅｃｔ）を送信する（ステップＳ１０５）。
【００５０】
次に、基地局１０は、応答信号を送信してこなかった端末２０の識別情報をエリア内端末テーブルから削除することにより、エリア内端末テーブルを更新する（ステップＳ１０６）。なぜならば、疑似ページング信号を送ったにも関わらず応答信号を送信してこなかった端末２０は、基地局１０のエリアから出ていったと判断できるからである。
【００５１】
なお、周期的な更新処理においても、初期設定の場合と同様に、各通信事業者に割り当てられるセルの数に下限値を設けてもよい（図５参照）。また、比に応じてセルを通信事業者に割り当てた結果余ったセルを、共用セルとしてもよい（図６参照）。又は、図５においては通信事業者Ｂ，Ｃに対してそれぞれ割り当てられているセル数通番７，８のセルを、図６に示すように共用セルにしてもよい。
【００５２】
以上のように本実施例によれば、基地局１０において、計数部１３は、自装置がカバーするエリア内に存在する複数の端末の数を、複数の端末に対応する複数の通信事業者のそれぞれについてカウントする。また、割り当て部１４が、複数の通信事業者のそれぞれについてカウントされた数に基づいて、第１のグループの複数のセルのそれぞれを、複数の通信事業者のいずれかに対して割り当てる。第１のグループの複数のセルは、基地局１０が有し且つ各セルが通信中の１つの端末が占有できる周波数バンドである。
【００５３】
こうすることで、１つの基地局によって複数の通信事業者に対応できるので、ユーザの利便性を向上させることができる。また、複数の通信事業者のそれぞれについてカウントされた数に基づいて通信事業者にセルを割り当てるので、基地局１０がカバーするエリア内の実態に合わせたセルの割り当てを行うことができる。この結果、セルの利用効率を向上させることができる。
【００５４】
また、第１のグループの複数のセルの他に、複数の通信事業者のいずれも利用可能な第２のグループのセル、つまり共用セルが設けられてもよい。
【００５５】
こうすることで、或る通信事業者について実際にセルを使用したい端末の数が割り当てられたセルの数を超えた場合でも、共用セルを用いることができる。従って、通信を開始したい端末の待ち時間を低減することができる。
【００５６】
また、各通信事業者に割り当てられるセルの数に、下限値が設けられてもよい。
【００５７】
こうすることで、端末の数が少ない通信事業者についても、実際にセルを使用したい端末の数が割り当てられたセルの数を超える状況が起こる確率を低減することができる。従って、端末の数が少ない通信事業者についても、通信を開始したい端末の待ち時間を低減することができる。
【００５８】
また、計数部１３は、複数の端末から送信される位置登録要求（ＴＡＵ）、又は、基地局１０から送信された疑似ページング信号に対する複数の端末からの応答に基づいて、端末の数をカウントする。
【００５９】
また、端末２０において、無線部２１が、基地局１０から割り当て信号を受信する。また、通信制御部２２が、受信された割り当て信号の示すセルで通信する。そして、割り当て信号の示すセルは、基地局１０によって端末２０に対応する通信事業者に対して割り当てられたセルである。そして、基地局１０による割り当ては、基地局１０のカバーエリア内に存在する複数の端末に対応する複数の通信事業者のそれぞれについての端末の数に基づいて行われる。
【００６０】
なお、事業者割り当てテーブルには、特定の端末２０に予め割り当てられることが決められている「優先セル」が含められてもよい。図８は、実施例１の事業者割り当てテーブルの一例を示す図である。図８において、セル数通番１のセルが、通信事業者Ａの或る端末２０向けの優先セルである。この場合、優先セルを除くセルが上記した第１のグループとされ、比で分配した後に余るセルが共通セルとされる。
【００６１】
［実施例２］
実施例２は、比に応じて割り当てられたセルの調整処理に関する。
【００６２】
［基地局の構成］
図９は、実施例２の基地局の一例を示すブロック図である。図９において、基地局３０は、割り当て部３１を有する。
【００６３】
割り当て部３１は、実施例１の基地局１０における割り当て部１４と同じ機能を有する。割り当て部３１は、さらに、基地局３０が設置される場所、又は、時間若しくは時期に応じて、各通信事業者に割り当てられたセルの数を調整する。この調整は、記憶部１５に記憶されている「調整テーブル」に基づいて行われる。
【００６４】
図１０は、実施例２の調整テーブルの一例を示す図である。図１０において、調整テーブルには、項目として、属性ＩＤ、項目１，２，３と、調整内容と、変化数とが含まれている。複数の属性ＩＤは、複数の調整処理にそれぞれ対応する。項目１は、調整処理の属性、例えば、基地局３０が設置される場所又は時間若しくは時期を示す。具体的には、図１０においてショップは設置場所を示し、時刻、季節及びイベントは時間又は時期を示す。項目２は、項目１の具体的な内容を示す。項目３は、備考欄として用いられる。調整内容の項目は、どの通信事業者のセルを増加させるのか又は減少させるのかを示している。変化数は、調整内容の項目の増加量又は減少量を示す。
【００６５】
割り当て部３１は、さらに、通信事業者の優先順位に基づいて、セル数の調整を行ってもよい。この優先順位に基づくセル数の調整は、記憶部１５に記憶された「優先度テーブル」に基づいて行われる。図１１は、実施例２の調整テーブルの一例を示す図である。図１１に示すように、調整テーブルでは、複数の通信事業者と、各通信事業者に対応する優先順位とが対応付けられている。
【００６６】
具体的には、割り当て部３１は、複数の通信事業者の内の第１の通信事業者に対する割り当てセルの数を増加させる場合、第１の通信事業者よりも調整テーブルでの優先順位の低い通信事業者へ割り当てられたセルが、第１の通信事業者へ優先的に振り分けられる。
【００６７】
［基地局の動作］
以上の構成を有する基地局３０の処理動作について説明する。以下では、２つの具体例が挙げられる。
【００６８】
＜例１＞
例１では、図１０の調整テーブルの属性ＩＤ１の調整処理が取り上げられる。
【００６９】
第１の処理として、基地局３０は、携帯ショップに設置されているため、起動時に、通信事業者Ｂのセル数を３つ増加させる調整処理を開始する。
【００７０】
第２の処理として、基地局３０は、調整テーブルにおいて共用セルが存在するか否かを判定する。
【００７１】
第３の処理として、基地局３０は、共用セルが存在した場合には、その共用セルを通信事業者Ｂに振り分ける。
【００７２】
第４の処理として、基地局３０は、共用セルが存在しない場合には、通信事業者Ｂよりも優先順位の低い通信事業者のセルを、通信事業者Ｂに対して振り分ける。例えば、通信事業者Ｃは通信事業者Ｂよりも優先順位が低いので、通信事業者Ｃに割り当てられているセル数通番３のセルを、通信事業者Ｂに振り分ける。なお、優先順位の低い通信事業者のセルの方から順番に振り分け対象としてもよい。また、通信に利用されている最中の使用セルを振り分け対象から外し、通信に利用されていないセルを優先的に振り分け対象としてもよい。
【００７３】
第２から第４の処理は、「変化数」に達するまで繰り返される。
【００７４】
＜例２＞
例２では、図１０の調整テーブルの属性ＩＤ３の調整処理が取り上げられる。
【００７５】
第１の処理として、基地局３０は、項目２が「７：００〜２０：００」に設定されているため、その時間帯において割り当て処理が行われた場合、通信事業者Ｃのセル数を２つ減少させる調整処理を開始する。
【００７６】
第２の処理として、基地局３０は、減少対象である通信事業者Ｃに割り当てられているセルを、調整テーブルにおいてサーチする。
【００７７】
第３の処理として、基地局３０は、通信事業者Ｃのセルが無い場合には、調整処理を終了する。
【００７８】
第４の処理として、基地局は、通信事業者Ｃのセルを発見した場合には、そのセルを共用セルに変更する。
【００７９】
第２の処理及び第４の処理は、通信事業者Ｃのセルが発見されなくなるまで、又は、「変化数」に達するまで繰り返される。
【００８０】
以上のように本実施例によれば、基地局３０において、割り当て部３１は、基地局３０が設置される場所、又は、時間若しくは時期に応じて、各通信事業者に割り当てられたセルの数を調整する。
【００８１】
こうすることで、基地局３０が設置される場所、又は、時間若しくは時期等の事情を考慮した、セルの割り当てが可能となる。この結果、ユーザの利便性を向上させることができる。
【００８２】
また、複数の通信事業者には優先順位が設定される。そして、割り当て部３１による調整では、複数の通信事業者の内の第１の通信事業者に割り当てられるセルの数を増加させる場合、第１の通信事業者よりも優先順位の低い通信事業者に対して割り当てられたセルが第１の通信事業者に対して優先的に振り分けられる。
【００８３】
こうすることで、複数の通信事業者に対して設定された優先順位に合わせた、セルの割り当てを行うことができる。
【００８４】
［実施例３］
実施例３は、セル割り当ての制限に関する。
【００８５】
図１２は、実施例３の基地局の一例を示すブロック図である。図１２において、基地局４０は、通信処理部４１と、割り当て部４２とを有する。
【００８６】
通信処理部４１は、実施例１の基地局１０における通信処理部１２と同じ機能を有する。
【００８７】
通信処理部４１は、さらに、基地局４０における通信事業者毎のスループット値を算出し、算出されたスループット値を割り当て部４２へ出力する。
【００８８】
割り当て部４２は、実施例１の基地局１０における割り当て部１４と同じ機能を有する。
【００８９】
割り当て部４２は、さらに、前回の割り当て時に割り当てられた第１のセル数よりも今回の割り当て時に割り当てられた第２のセル数の方が大きい任意の通信事業者に対して、所定の条件を満たす場合に、セルの割り当てに制限を与える。具体的には、割り当て部４２は、任意の通信事業者のスループット値が所定値以上の場合、その任意の通信事業者に対しては、今回の第２のセル数を割り当てるのではなく、前回の第１のセル数のままにする。一方、割り当て部４２は、任意の通信事業者のスループット値が所定値未満の場合には、その任意の通信事業者に対して、今回の第２のセル数を割り当てる。
【００９０】
なお、以上の説明では、基地局４０における通信事業者毎のスループット値が用いられたが、これ限定されるものではなく、基地局４０における通信事業者毎の一定期間内の累積パケット数が用いられてもよい。
【００９１】
以上のように本実施例によれば、基地局４０において、計数部１３によるカウント及び割り当て部４２による割り当ては、所定の周期で実行される。そして、割り当て部４２は、前回の割り当て時に割り当てられた第１のセル数よりも今回の割り当て時に割り当てられた第２のセル数の方が大きい任意の通信事業者に対して、所定の条件を満たす場合に、セルの割り当てに制限を与える。具体的には、割り当て部４２は、任意の通信事業者のスループット値、又は、任意の通信事業者の一定期間内の累積パケット数が所定値以上の場合、その任意の通信事業者に対しては、今回の第２のセル数を割り当てるのではなく、前回の第１のセル数のままにする。一方、割り当て部４２は、任意の通信事業者のスループット値、又は、任意の通信事業者の一定期間内の累積パケット数が所定値未満の場合には、その任意の通信事業者に対して、今回の第２のセル数を割り当てる。
【００９２】
こうすることで、通信事業者による基地局４０のリソースの利用状況を考慮した、セルの割り当てが可能となる。この結果、通信事業者間の公平性を担保することができる。
【００９３】
［実施例４］
実施例４は、基地局による転送処理の具体例に関する。特に、ＲＲＣ  Ｃｏｎｎｅｃｔｉｏｎ（Radio  Resource  Control  Connection）の確立手順を例に取り具体例を説明する。
【００９４】
図１３は、実施例４のＲＲＣ  Ｃｏｎｎｅｃｔｉｏｎの確立手順の説明に供する図である。
【００９５】
端末２０は、ＲＲＣ接続要求（RRC  Connection  request）を基地局１０へ送信する（ステップＳ２０１）。
【００９６】
基地局１０において通信処理部１２は、端末２０の使用セルの識別情報（例えば、ＥＣＧＩ番号）を読み出す（ステップＳ２０２）。
【００９７】
通信処理部１２は、端末２０の使用セルを決定する（ステップＳ２０３）。具体的には、通信処理部１２は、読み出したＥＣＧＩ番号に対応する通信事業者に対して割り当てられたセルが事業者割り当てテーブルに存在する場合、そのセルを端末２０の使用セルとして決定する。一方、読み出したＥＣＧＩ番号に対応する通信事業者に対して割り当てられたセルが事業者割り当てテーブルに存在しない場合、共用セルを端末２０の使用セルとして決定する。なお、共用セルも事業者割り当てテーブルに存在しない場合、通信処理部１２は、端末２０へＲＲＣ接続拒否（RRC  Connection  reject）を送信する。
【００９８】
通信処理部１２は、決定された使用セルを用いて、ＲＲＣ接続セットアップ（RRC  Connection  Setup）を端末２０へ送信する（ステップＳ２０４）。
【００９９】
端末２０は、ＲＲＣ接続セットアップを受信すると、ＲＲＣ接続セットアップ完了（RRC  Connection  Setup  Complete）を基地局１０へ送信する（ステップＳ２０５）。
【０１００】
基地局１０において通信処理部１２は、ＲＲＣ接続セットアップ完了を受け取ると、ＤＣＣＨ（Dedicated  Control  CHannel）データＡＣＫを端末２０へ送信する（ステップＳ２０６）。
【０１０１】
端末２０は、端末とコアネットワークとの間の制御信号（ＮＡＳ信号）を、基地局１０へ送信する（ステップＳ２０７）。
【０１０２】
基地局１０において通信処理部１２は、ＮＡＳ信号を受信したセルと、事業者割り当てテーブルと、対応テーブルとに基づいて、転送先のコアネットワークを特定する（ステップＳ２０８）。
【０１０３】
通信処理部１２は、特定された転送先のコアネットワークへＮＡＳ信号を転送する（ステップＳ２０９）。
【０１０４】
通信処理部１２は、転送されたＮＡＳ信号に対して通信事業者から送信された応答信号を受信する（ステップＳ２１０）。
【０１０５】
通信処理部１２は、受信された応答信号の送信元アドレスと、対応テーブルとに基づいて、応答信号の送信元である通信事業者を特定する（ステップＳ２１１）。
【０１０６】
通信処理部１２は、特定された通信事業者と、事業者割り当てテーブルとに基づいて、使用セルを特定する（ステップＳ２１２）。
【０１０７】
通信処理部１２は、特定された使用セルを用いて、応答信号を端末２０へ転送する（ステップＳ２１３）。
【０１０８】
以上のように通信処理部１２による転送処理によって、ＲＲＣ  Ｃｏｎｎｅｃｔｉｏｎの確立手順を実行することができる。
【０１０９】
［他の実施例］
［１］実施例１から実施例４の基地局及び端末は、次のようなハードウェア構成により実現することができる。
【０１１０】
図１４は、基地局のハードウェア構成を示す図である。図１４に示すように、基地局１００は、ハードウェアの構成要素として、ＲＦ（Ｒａｄｉｏ  Ｆｒｅｑｕｅｎｃｙ）回路１１０と、ＣＰＵ（Ｃｅｎｔｒａｌ  Ｐｒｏｃｅｓｓｉｎｇ  Ｕｎｉｔ）１２０と、メモリ１３０と、ネットワークＩＦ（Ｉｎｔｅｒ  Ｆａｃｅ）１４０とを有する。メモリ１３０は、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等のＲＡＭ、ＲＯＭ（Ｒｅａｄ  Ｏｎｌｙ  Ｍｅｍｏｒｙ)、フラッシュメモリにより構成される。通信処理部１２と、計数部１３と、割り当て部１４とは、ＣＰＵ１２０等の集積回路により実現される。無線部１１は、ＲＦ回路１１０により実現される。ネットワークＩＦ１６は、ネットワークＩＦ１４０に対応する。
【０１１１】
図１５は、端末のハードウェア構成を示す図である。図１５に示すように、端末２００は、ハードウェア的には、ＲＦ回路２１０と、ＣＰＵ２２０と、メモリ２３０とを有する。メモリ２３０は、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等のＲＡＭ、ＲＯＭ（Ｒｅａｄ  Ｏｎｌｙ  Ｍｅｍｏｒｙ)、フラッシュメモリにより構成される。通信制御部２２は、ＣＰＵ２２０等の集積回路により実現される。無線部２１は、ＲＦ回路２１０により実現される。
【０１１２】
また、実施例１から実施例４で説明した各種の処理は、予め用意されたプログラムをコンピュータで実行することで実現できる。すなわち、通信処理部１２と、計数部１３と、割り当て部１４とによって実行される各処理に対応するプログラムがメモリ１３０に記録され、各プログラムがＣＰＵ１２０に読み出されてプロセスとして機能してもよい。また、通信制御部２２によって実行される各処理に対応するプログラムがメモリ２３０に記録され、各プログラムがＣＰＵ２２０に読み出されてプロセスとして機能してもよい。
【０１１３】
［２］実施例１から実施例４における基地局は、フェムト基地局に限定されるものではない。例えば、マクロ基地局でも、第３世代に対応する基地局でも、ＬＴＥに対応する基地局でもよい。すなわち、いずれの方式に対応する基地局においても、上記実施例は成立する。
【０１１４】
以上、本実施例を含む実施の形態に関し、更に以下の付記を開示する。
【０１１５】
（付記１）自装置がカバーするエリア内に存在する複数の端末の数を、前記複数の端末に対応する複数の通信事業者のそれぞれについてカウントする計数部と、
前記複数の通信事業者のそれぞれについてカウントされた数に基づいて、自装置が有し且つ各セルが通信中の１つの端末が占有できる周波数バンドである第１のグループの複数のセルのそれぞれを、前記複数の通信事業者のいずれかに対して割り当てる割り当て部と、
を具備することを特徴とする基地局。
【０１１６】
（付記２）前記割り当て部は、自装置が設置される場所、又は、時間若しくは時期に応じて、各通信事業者に割り当てられたセルの数を調整する、
ことを特徴とする付記１に記載の基地局。
【０１１７】
（付記３）前記第１のグループの複数のセルの他に、前記複数の通信事業者のいずれも利用可能な第２のグループのセルを有する、
ことを特徴とする付記１又は２に記載の基地局。
【０１１８】
（付記４）各通信事業者に割り当てられるセルの数は下限値を有する、
ことを特徴とする付記１から３のいずれか一つに記載の基地局。
【０１１９】
（付記５）前記計数部によるカウント及び前記割り当て部による割り当ては、所定の周期で実行され、
前記割り当て部は、前回の割り当て時に割り当てられた第１のセル数よりも今回の割り当て時に割り当てられた第２のセル数の方が大きい任意の通信事業者に対して、前記任意の通信事業者のスループット又は一定時間内の累積パケット数が所定値未満の場合には前記第２のセル数のセルを割り当て、前記所定値以上の場合には前記第１のセル数のセルを割り当てる、
ことを特徴とする付記１から４のいずれか一つに記載の基地局。
【０１２０】
（付記６）前記複数の通信事業者には優先順位が設定され、
前記割り当て部による調整では、前記複数の通信事業者の内の第１の通信事業者に割り当てられるセルの数を増加させる場合、前記第１の通信事業者よりも前記優先順位の低い通信事業者に対して割り当てられたセルが前記第１の通信事業者に対して優先的に振り分けられる、
ことを特徴とする付記２に記載の基地局。
【０１２１】
（付記７）前記計数部は、前記複数の端末から送信される位置登録要求、又は、自装置から送信されたページング信号に対する前記複数の端末からの応答に基づいて、前記数をカウントする、
ことを特徴とする付記１から６のいずれか一つに記載の基地局。
【０１２２】
（付記８）基地局から割り当て信号を受信する無線部と、
前記受信された割り当て信号の示すセルで通信する通信制御部と、
を具備し、
前記割り当て信号の示すセルは、前記基地局によって、前記基地局がカバーするエリア内に存在する複数の端末に対応する複数の通信事業者のそれぞれについての、前記複数の端末の数に基づいて、自装置に対応する通信事業者に対して割り当てられた、セルである、
端末。
【０１２３】
（付記９）基地局がカバーするエリア内に存在する複数の端末の数を、前記複数の端末に対応する複数の通信事業者のそれぞれについてカウントし、
前記複数の通信事業者のそれぞれについてカウントされた数に基づいて、前記基地局が有し且つ各セルが通信中の１つの端末が占有できる周波数バンドである複数のセルのそれぞれを、前記複数の通信事業者のいずれかに対して割り当てる、
ことを特徴とするセルの割り当て方法。
【符号の説明】
【０１２４】
１０，３０，４０  基地局
１１，２１  無線部
１２，４１  通信処理部
１３  計数部
１４，３１，４２  割り当て部
１５  記憶部
２０  端末
２２  通信制御部
【図１】
2014086918.tif 000003
【図２】
2014086918.tif 000004
【図３】
2014086918.tif 000005
【図４】
2014086918.tif 000006
【図５】
2014086918.tif 000007
【図６】
2014086918.tif 000008
【図７】
2014086918.tif 000009
【図８】
2014086918.tif 000010
【図９】
2014086918.tif 000011
【図１０】
2014086918.tif 000012
【図１１】
2014086918.tif 000013
【図１２】
2014086918.tif 000014
【図１３】
2014086918.tif 000015
【図１４】
2014086918.tif 000016
【図１５】
2014086918.tif 000017